(57)【要約】  洗浄処方物、方法、およびシステムは有効で、温和で、無害である。該洗浄処方物の実施形態は、脂肪酸、鹸化剤、水質調節剤、溶媒、非イオン性界面活性剤、およびアニオン性界面活性剤を含む。一部の実施形態はまた、場合によって、添加剤を含む。実施形態は、コンクリートを洗浄するのに特に有効である。【特許請求の範囲】
【請求項１】
約２５％から約５０％の脂肪酸；
約１５％から約２５％の鹸化剤；
約４％から約１６％の水質調節剤；
約１２％から約２４％の溶媒；
約８％から約３２％の非イオン性界面活性剤；および
約１％から約６％のアニオン性界面活性剤
を含む洗浄処方物。
【請求項２】
約３０％から約４０％の脂肪酸；
約１７％から約２０％の鹸化剤；
約６％から約１０％の水質調節剤；
約１６％から約２０％の溶媒；
約１４％から約２０％の非イオン性界面活性剤；および
約２％から約４％のアニオン性界面活性剤
を含む、請求項１に記載の処方物。
【請求項３】
前記脂肪酸が、タル油脂肪酸を含む、請求項１または２に記載の処方物。
【請求項４】
前記タル油脂肪酸が、高タル油ロジン含有量を有する、請求項３に記載の処方物。
【請求項５】
前記鹸化剤が、２−アミノ−２−メチル−１−プロパノールを含む、請求項１〜４のいずれか一項に記載の処方物。
【請求項６】
前記水質調節剤が、カチオン性セルロースポリマーを含む、請求項１〜５のいずれか一項に記載の処方物。
【請求項７】
前記カチオン性セルロースポリマーが、ポリクオタニウム−４側鎖でグラフトされたセルロース骨格を含む、請求項６に記載の処方物。
【請求項８】
前記非イオン性界面活性剤が、オクチルフェノールエトキシレートを含む、請求項１〜７のいずれか一項に記載の処方物。
【請求項９】
前記アニオン性界面活性剤が、アルキルナフタレンスルホネートを含む、請求項１〜８のいずれか一項に記載の処方物。
【請求項１０】
水をさらに含む、請求項１〜９のいずれか一項に記載の処方物。
【請求項１１】
ラノリン、ココナッツ油、および香料からなる群から選択される１つ以上の物質をさらに含む、請求項１〜１０のいずれか一項に記載の処方物。
【請求項１２】
約３６％の脂肪酸；
約１８％の２−アミノ−２−メチル−１−プロパノール；
約８％のカチオン性セルロースポリマー；
約１８％の大豆油脂肪酸メチルエステル(methyl soyate)；
約１６％のオクチルフェノールエトキシレート；および
約３％のアルキルナフタレンスルホネート
を含む、請求項１〜１１のいずれか一項に記載の処方物。
【請求項１３】
物品の少なくとも一部を請求項１〜１２のいずれか一項に記載の処方物と接触させることを含む、物品を洗浄する方法。
【請求項１４】
前記洗浄処方物が、水で希釈される、請求項１３に記載の方法。
【請求項１５】
前記物品の少なくとも一部を機械的にごしごし洗いすることをさらに含む、請求項１３または１４に記載の方法。
【請求項１６】
前記物品がコンクリート表面を含む、請求項１３〜１５のいずれか一項に記載の方法。
【請求項１７】
請求項１〜１２のいずれか一項に記載の洗浄処方物；および
前記物品の少なくとも一部を前記洗浄処方物に接触させるための指示
を含む、物品を洗浄するシステム。
【請求項１８】
前記洗浄処方物を前記物品の少なくとも一部に適用するための手段をさらに含む、請求項１７に記載のシステム。
【請求項１９】
前記物品の少なくとも一部を機械的に洗浄する手段をさらに含む、請求項１７または１８に記載のシステム。
【請求項２０】
長い炭素鎖を含む化合物、例えば、石油および／または生物由来の油；または脂肪、炭水化物、タンパク質および当該技術分野で知られた他の成分を含む体液、例えば、血液、尿、リンパ液、膿など；ボディオイル；油漏れ／油流失；グリース；錆；または腐食金属の洗浄剤、
可洗な表面；居住および商業環境の両方におけるコンクリート；アスファルト；タール基礎材料；自然石；大理石；花こう岩；ソープストーン；合成石；セラミック、タイル；テラゾ；金属；プラスチック；Ｐｌｅｘｉｇｌａｓ（登録商標）；ガラス繊維；塗装表面；蛍光器具；ファブリック；ファブリックのしみ；洗濯物；カーペットおよび／または汚点；皮革；宝石、真珠；オパール；炉；ストーブ；瓦；グラウト；自動車用ホイール；ＲＶ車；ガラス繊維ボート；工業用床；自動車修理および部品；車；ボート／船舶；ビルジ；ディーゼルエンジン；鉄道レールおよび枕木；内部および外部の航空機部品；原油および／または石油精製品用貯蔵タンク；下水管；土壌；家禽；卵；動物の囲い；手；皮膚；髪；空気流；空気；空気ダクト；換気ダクト；またはＨＶＡＣシステムのための洗浄剤、
洗濯洗浄向上剤、
エンジン；または洗浄可能な表面のための脱脂剤、
浮きカス；または石灰の除去剤、
防火材料；火災抑制剤；または再着火予防剤、
ワックス；車両、車、ボートまたは床上のワックス；または例えば、リノリウム、ビニル床材などの床材および／もしくはタイルを張るために使用される種類のマスチック樹脂のストリッパー、
臭気の除去；またはスカンク、ペット、煙、もしくはヒトの排出臭気の除去、
抗座瘡皮膚クレンザーおよび／または処置、
耳垢剥離剤／耳垢乳化剤、
空気中に浮遊する、および表面上の両方の抗菌剤；カビおよび／または白カビの殺傷；カビおよび／または白カビ胞子殺傷；またはカビおよび／もしくは白カビ胞子の萌芽の予防、
家庭、商業、および／または農業の殺虫剤；蟻、セイヨウシミ、アブラムシ、ナンキン虫、シラミ、疥癬、ダニ、またはノミの殺虫剤；動物、植物、表面、または、例えば、ファブリック、マットレス、室内装飾品などの軟質材料などに使用するための殺虫剤、
疥癬、シラミ、のみ、ダニの処理、または、
酸および／もしくは酸性ガスの中和、
の少なくとも１つとしての請求項１〜１２のいずれか一項に記載の処方物の使用。
【発明の詳細な説明】
【技術分野】
【０００１】
本出願は、２００５年４月２２日に出願された米国仮特許出願第６０／６７３，８５５号の利益を主張し、その開示はその全体が参照により本明細書に組み入れられる。本出願は、２００６年３月２２日に出願された、代理人事件整理番号Ｎｏ．ＯＮＬＧ．００２Ａを伴う、「コロイド洗浄システム」と発明の名称を付けられた米国特許出願第１１／      号に対する優先権を主張し、その開示はその全体が参照により本明細書に組み入れられる。
【０００２】
本発明は、一般に、洗浄処方物に関し、特には、コロイド洗浄処方物、方法、ならびにコンクリート表面および他の洗浄可能な表面のためのシステムに関する。
【背景技術】
【０００３】
クレンザー、石鹸、洗浄剤、および一般向けに利用できる洗浄化学品は、現実に酸性であり、大部分はまた、環境に損傷を与える、および／またはヒトに有害である。
【発明の開示】
【課題を解決するための手段】
【０００４】
洗浄処方物、方法、およびシステムは、効果的で、穏やか、かつ無害である。洗浄処方物の実施形態は、脂肪酸、鹸化剤、水質調節剤、溶媒、非イオン性界面活性剤、およびアニオン性界面活性剤を含む。一部の実施形態はまた、場合によって、１種以上の添加剤を含む。実施形態は、コンクリートを洗浄するのに特に有効である。
【０００５】
一部の実施形態では、約２５％から約５０％の脂肪酸；約１５％から約２５％の鹸化剤；約４％から約１６％の水質調節剤；約１２％から約２４％の溶媒；約８％から約３２％の非イオン性界面活性剤；および約１％から約６％のアニオン性界面活性剤を含む洗浄処方物が提供される。一部の実施形態において、該処方物は、約３０％から約４０％の脂肪酸；約１７％から約２０％の鹸化剤；約６％から約１０％の水質調節剤；約１６％から約２０％の溶媒；約１４％から約２０％の非イオン性界面活性剤；および約２％から約４％のアニオン性界面活性剤を含む。一部の実施形態において、該脂肪酸は、タル油脂肪酸を含む。一部の好ましい実施形態において、該タル油脂肪酸は、高タル油ロジン含有量を有する。一部の実施形態において、該鹸化剤は、２−アミノ−２−メチル−１−プロパノールを含む。一部の実施形態において、該水質調節剤は、カチオン性セルロースポリマーを含む。一部の好ましい実施形態において、該カチオン性セルロースポリマーは、ポリクオタニウム−４側鎖でグラフトされたセルロース骨格を含む。一部の実施形態において、該非イオン性界面活性剤は、オクチルフェノールエトキシレートを含む。該アニオン性界面活性剤は、アルキルナフタレンスルホネートを含む。一部の実施形態は、水をさらに含む。一部の実施形態は、ラノリン、ココナッツ油、および香料からなる群から選択される１種以上の物質をさらに含む。本明細書で使用されるように、「ａ」は、「少なくとも１つ」もしくは「１つ以上」を意味し、列挙されるパーセンテージは、列挙される成分の「少なくとも１つ」もしくは「１つ以上」の総計である。
【０００６】
物品の少なくとも一部を、約２５％から約５０％の脂肪酸；約１５％から約２５％の鹸化剤；約４％から約１６％の水質調節剤；約１２％から約２４％の溶媒；約８％から約３２％の非イオン性界面活性剤；および約１％から約６％のアニオン性界面活性剤を含む処方物と接触させることを含む、物品を洗浄する方法がまた、提供される。一部の実施形態において、該洗浄処方物は、水で希釈される。一部の実施形態は、該物品の少なくとも一部を機械的にごしごし洗うことをさらに含む。一部の実施形態において、該物品は、コンクリート表面を含む。
【０００７】
約２５％から約５０％の脂肪酸；約１５％から約２５％の鹸化剤；約４％から約１６％の水質調節剤；約１２％から約２４％の溶媒；約８％から約３２％の非イオン性界面活性剤；および約１％から約６％のアニオン性界面活性剤を含む洗浄処方物；および物品の少なくとも一部を該洗浄処方物と接触させるための指示を含む物品を洗浄するシステムがまた提供される。一部の実施形態は、該洗浄処方物を該物品の少なくとも一部に適用するための手段をさらに含む。一部の実施形態は、該物品の少なくとも一部を機械的に洗浄するための手段をさらに含む。
【０００８】
約３６％の脂肪酸；約１８％の２−アミノ−２−メチル−１−プロパノール；約８％のカチオン性セルロースポリマー；約１８％の大豆油脂肪酸メチルエステル(methyl soyate)；約１６％のオクチルフェノールエトキシレート；および約３％のアルキルナフタレンスルホネートを含む洗浄処方物がまた提供される。
【０００９】
物品の少なくとも一部を洗浄するための処方物の使用であって、該処方物が約２５％から約５０％の脂肪酸；約１５％から約２５％の鹸化剤；約４％から約１６％の水質調節剤；約１２％から約２４％の溶媒；約８％から約３２％の非イオン性界面活性剤；および約１％から約６％のアニオン性界面活性剤を含む、使用がまた提供される。
【発明を実施するための最良の形態】
【００１０】
本発明は、洗浄処方物、および該処方物を使用する方法およびシステムに関する。開示された処方物の実施形態は、温和な条件下で油類および／または土壌類を除去することにおいて特に有効であり、その結果、多くの洗浄用途に有用である。該処方物の好ましい実施形態は、向上された湿気特性を呈し、これにより小さい孔、割れ目、および／または空所(space)の洗浄を改善する。一部の実施形態は、例えば、石油および／または生物由来の油類の長い炭素鎖を含む化合物を洗浄するために特に有用である。一部の実施形態は、体液、例えば、血液、尿、リンパ液、膿など、例えば、脂肪、炭水化物、タンパク質、および当該技術分野で公知な他の成分を含む、を洗浄するために有用である。該洗浄処方物の実施形態は、居住および商業環境の両方においてコンクリートを洗浄するために有用である。実施形態は、自然石、大理石、花崗岩、ソープストーン、合成石、セラミック、タイル、および／またはテラゾを洗浄するために有用である。以下により詳しく検討されるように、該洗浄処方物の好ましい実施形態は、アルカリ性であり、その結果、コンクリートおよび／またはセメントをエッチングしたり、溶解したりしない。金属および蛍光器具を洗浄するための該処方物の実施形態を使用することにおいて、油汚染された土壌への思わぬ流出がまた、該処方物がそれからの油を溶解し、その結果、土壌改善などにおいて有用であることが見出されることを示した。一部の実施形態は、以下：ハンドクリーナー、洗濯物洗浄向上剤、ファブリック洗浄剤、カーペット洗浄剤および／または汚れ洗浄剤、臭気除去剤、宝石洗浄剤（真珠および／またはオパールを洗浄することを含む）、グリース洗浄剤、オーブン洗浄剤、タイル洗浄剤、グラウト洗浄剤、スカム除去剤、石灰除去剤、自動車用ホイール洗浄剤、エンジン脱グリース剤、ＲＶ車洗剤、ガラス繊維ボート洗浄剤、工業用床洗浄剤およびワックスストリッパー、脱脂剤、自動車修理部分および部品洗浄剤、車洗剤、ボート／船舶洗浄剤、ビルジ洗浄剤、ディーゼル洗浄剤、油漏れ／流出清浄、防火材料、土壌改良剤、型修正剤、抗座瘡皮膚クレンザーおよび／または処置剤、耳垢剥離剤／乳化剤、抗菌剤、および／または殺虫剤、の１つ以上である。
【００１１】
該洗浄処方物の実施形態は、脂肪酸、鹸化剤、水質調節剤、溶媒、および１種以上の界面活性剤を含む。一部の実施形態はまた、場合によって、他の溶媒および／または添加剤、例えば、ラノリンおよび／またはココナッツ油（ココナッツバター）などの皮膚軟化剤を含む。一部の実施形態は、香料を含む。一部の好ましい実施形態におけるこれらの成分の比率は、表Ｉに与えられる。ラノリンおよび／またはココナッツ油は、一部の実施形態において重量で該処方物の０から約４％が含まれる。該処方物の実施形態は、約１０から約１１を含む、約９から約１３のｐＨを有する。該処方物の好ましい実施形態は、石鹸および／または洗浄剤（ｄｅｔｅｒｇｅｎｔ）は含まない。該処方物の実施形態は、特に、有機土壌および有機物質の溶解、乳化、および／または分散において有効である。
【００１２】
【表１】
2008543979.tif 000002
【００１３】
「コロイド」の用語は、本明細書において、電気的に荷電され、絶え間のないランダムな動きの中で互いに反発する超顕微鏡的粒子といわれるのみならず、その通常の意味で使用される。典型的には、コロイドは、超遠心分離の利用によって密度に基づいて分離可能である。
【００１４】
好適な脂肪酸の例は、当該技術分野において公知であり、任意の好適な源からの脂肪酸、例えば、植物由来、動物由来、タル油脂肪酸類、タル油ロジン酸類、タル油ロジンなどがある。一部の実施形態において、該脂肪酸は、約１０から約３０個の炭素原子、好ましくは約１２から約２０個の炭素原子を有し、飽和、モノ不飽和、および／またはポリ不飽和脂肪酸を含む。不飽和脂肪酸は、シスおよび／またはトランスの二重結合を有する。一部の実施形態は、三重結合を有する脂肪酸を含む。好ましい脂肪酸は、タル油脂肪酸であり、場合によって、タル油ロジンおよび／またはタル油ロジン酸類を含み、Ａｒｉｚｏｎａ  Ｃｈｅｍｉｃａｌ（Ｊａｃｋｓｏｎｖｉｌｌｅ，ＦＬ）からＳｙｌｖａｔａｌ（登録商標）およびＳｙｌｆａｔ（登録商標）として市販されている。タル油は、主としてパルミチン酸、オレイン酸、およびリノール酸を典型的に含む。タル油ロジンは、約０％から約３５％で存在する。好適なタル油脂肪酸は、Ａｒｉｚｏｎａ  Ｃｈｅｍｉｃａｌ（Ｊａｃｋｓｏｎｖｉｌｌｅ、ＦＬ）からＳｙｌｖａｔａｌ（登録商標）Ｄ３０ＬＲとして市販されており、高タル油ロジン類含有量を有するタル油脂肪酸を含む。混合物もまた、好適である。好適な脂肪酸の一部の実施形態は、下記に検討される鹸化剤と混合される場合、実質的に凝集しない。
【００１５】
好適な鹸化剤は、当該技術分野において公知である。好ましい鹸化剤としては、アミノアルコール、例えば、２−アミノ−１−ブタノール（ＡＢ（登録商標），Ｄｏｗ  Ｃｈｅｍｉｃａｌ，Ｍｉｄｌａｎｄ，ＭＩ）、２−アミノ−２−メチル−１，３−プロパンジオール（ＡＭＰＤ（商標），Ｄｏｗ  Ｃｈｅｍｉｃａｌ，Ｍｉｄｌａｎｄ，ＭＩ）、２−アミノ−２−メチル−１−プロパノール（ＡＭＰ（商標），ＡＭＰ（商標）−９５，Ｄｏｗ  Ｃｈｅｍｉｃａｌ，Ｍｉｄｌａｎｄ，ＭＩ）、２−アミノ−２−エチル−１，３−プロパンジオール（ＡＥＰＤ（登録商標），Ｄｏｗ  Ｃｈｅｍｉｃａｌ，Ｍｉｄｌａｎｄ，ＭＩ）、トリス（ヒドロキシメチル）アミノメタン（ＴＲＩＳ  ＡＭＩＮＯ（登録商標），Ｄｏｗ  Ｃｈｅｍｉｃａｌ，Ｍｉｄｌａｎｄ，ＭＩ）、エタノールアミン類、およびこれらの組み合わせが挙げられる。一部の好ましい実施形態において、該鹸化剤は、２−アミノ−２−メチル−１−プロパノール（ＡＭＰ（商標）−９５）である。
【００１６】
好適な界面活性剤としては、当該技術分野において公知な非イオン性、アニオン性、および／またはカチオン性界面活性剤などがある。好適な非イオン性界面活性剤としては、ポリエトキシレート類、ポリエーテルアルコール類、分岐第二級アルコールエトキシレート類（Ｔｅｒｇｉｔｏｌ（登録商標）ＴＭＮシリーズ，Ｄｏｗ  Ｃｈｅｍｉｃａｌ，Ｍｉｄｌａｎｄ，ＭＩ）、エチレンオキシド／プロピレンオキシドコポリマー類（Ｔｅｒｇｉｔｏｌ（登録商標）Ｌシリーズ，Ｔｅｒｇｉｔｏｌ（登録商標）ＸＤ，ＸＨ，およびＸＪ，Ｄｏｗ  Ｃｈｅｍｉｃａｌ，Ｍｉｄｌａｎｄ，ＭＩ）、ノニルフェノールエトキシレート（Ｔｅｒｇｉｔｏｌ（登録商標）ＮＰシリーズ，Ｄｏｗ  Ｃｈｅｍｉｃａｌ，Ｍｉｄｌａｎｄ，ＭＩ）、オクチルフェノールエトキシレート類（Ｔｏｒｉｔｏｎ（登録商標）Ｘシリーズ，Ｄｏｗ  Ｃｈｅｍｉｃａｌ，Ｍｉｄｌａｎｄ，ＭＩ）、第二級アルコールエトキシレート類（Ｔｅｒｇｉｔｏｌ（登録商標）１５−Ｓシリーズ，Ｄｏｗ  Ｃｈｅｍｉｃａｌ，Ｍｉｄｌａｎｄ，ＭＩ）、グリコールエステル類、トリグリセリドエトキシレート類、アルカノールアミド類、ソルビタンエステルエトキシレート類、直鎖および分岐アルコールアルコシキレート類、脂肪アルコールエトキシレート類、ブロックコポリマー生成物類、およびこれらの組み合わせが挙げられる。一部の好ましい実施形態において、該非イオン性界面活性剤は、オクチルフェノールエトキシレート（Ｔｒｉｔｏｎ（登録商標）Ｘ）を含む。
【００１７】
好適なアニオン性界面活性剤としては、有機カルボキシレート類、スルホスクシネート類、スルホネート類、サルフェート類、および／またはホスホネート類などがある。好ましい実施形態としては、アルキルナフタレンスルホネート（例えば、Ｐｅｔｒｏ（登録商標），Ａｋｚｏ  Ｎｏｂｅｌ，Ｃｈｉｃａｇｏ，ＩＬ）、アルキルベンゼンスルホネート、およびα−オレフィンスルホネートなどがある。一部の好ましい実施形態は、リン化合物を含まない。一部の好ましい実施形態において、該アニオン性界面活性剤は、アルキルナフタレンスルホネート（Ｐｅｔｒｏ（登録商標））を含む。
【００１８】
好適なカチオン性界面活性剤としては、有機アンモニウム化合物およびピリジニウム化合物があり、脂肪族アミン類、第四級アミン類、および／またはエステルアミン類を含む。一部の実施形態において、該脂肪族アミン類は、第一級アミン、第二級アミン、第三級アミン、および／またはジアミンである。一部の好ましい実施形態において、該脂肪族アミンは、Ｃ８から約Ｃ２２である。第四級アミンの好ましい実施形態は、開示された脂肪族アミン類の第四級化バージョンである。
【００１９】
好ましい溶媒は、当該技術分野において公知であり、例えば、水性溶媒、アルコール溶媒、有機溶媒、およびこれらの組み合わせがある。好ましい溶媒としては、有機溶媒などがある。一部の好ましい実施形態において、該溶媒は、天然有機溶媒、例えば、エステル交換反応化植物油である。一部の好ましい実施形態は、大豆油のエステル交換反応によって生成される大豆油アルキルエステルを使用する。好ましい溶媒としては、大豆油メチルエステルおよび／または大豆油エチルエステルなどがある。大豆油メチルエステルは、例えば、ＤＥＳＯＬ（商標）（ＤＥＳＯＬ  Ｉｎｃ．，Ｓａｎ  Ｄｉｅｇｏ，ＣＡ）として市販されている。
【００２０】
好適な水質調節剤としては、当該技術分野で公知であるカチオン性ポリマーなどがある。例としては、ポリクオタニウム化合物類、カチオン性セルロースポリマー類、カチオン性グアー類、カチオン性デンプンポリマー、カチオン性グラフトおよび／またはブロックコポリマー、組み合わせなどがある。好適なポリクオタニウム化合物類は、ポリ（ジアリルジメチルアンモニウム）化合物であり、ポリクオタニウム−４、ポリクオタニウム−７、ポリクオタニウム−１０、および／またはより高いポリクオタニウム化合物などがある。好適なカチオン性セルロースポリマー類としては、セルロース骨格を含む化合物があり、例えば、ポリクオタニウム側鎖がグラフトされた、セルロース、ヒドロキシエチルセルロース、ヒドロキシプロピルセルロース、ヒドロキシエチルメチルセルロース、ヒドロキシプロピルメチルセルロース（Ｃｅｌｑｕａｔ（登録商標），Ｎａｔｉｏｎａｌ  Ｓｔａｒｃｈ，Ｂｒｉｄｇｅｗａｔｅｒ，ＮＪ）などがある。好適なカチオン性グアーとしては、グアーヒドロキシプロピルトリモニウム化合物（ＡｑｕａＣａｔ（登録商標），Ｈｅｒｃｕｌｅｓ，Ｗｉｌｍｉｎｇｔｏｎ，ＤＥ）などがある。一部の好ましい実施形態において、水質調節剤は、カチオン性セルロースポリマーを含む。水質調節剤は、金属イオン封鎖剤のみでなく追跡剤としても作用すると考えられる。
【００２１】
一部の実施形態は、当該技術分野において公知な独立して選択される１種以上の添加剤、例えば、香料、皮膚軟化剤、ラノリン、ココナッツ油、染料、顔料、消泡剤、粘度調整剤、保存剤、研磨剤などを含む。一部の実施形態において、該処方物の成分は、実質的な凝集または沈殿が攪拌および／または放置の際に生じないように選択される。
【００２２】
使用において、該処方物は、洗浄されるべき物品と接触させられる。該処方物の実施形態は、一部の実施形態ではまた、例えば、特に困難な洗浄用途において、希釈されないで使用されるが、典型的には、使用前に水または他の溶媒を用いて希釈される。希釈の程度は、具体的用途に依存する。一部の実施形態において、該希釈は、約１：１から約３０：１、好ましくは約５：１から約２０：１である。述べられた全ての希釈は、容量基準であり、該処方物の容量を２番目の値としている。他に特記されない限り、該希釈剤は水である。一部の好ましい実施形態において、該処方物は、冷水および／またはやや冷たい水もまた他の実施形態、例えば、繊細な表面および／または熱に敏感な物品を洗浄することにおいて有用であるが、温水および／または熱水を用いて希釈される。一部の実施形態において、該処方物は、当該技術分野において公知な手段、例えば、ミキシングヘッドおよび／またはホース端部ミキサーを備えたアプリケーターを使用して適用の直前に希釈される。一部の実施形態において、該処方物は、例えば、当該技術分野で公知なスプレーアプリケータおよび／または圧力洗浄機を使用して、圧力下で吹き付けられる。一部の実施形態において、該処方物は、空所または容量を処理するために霧化される。一部の実施形態において、洗浄される該物品の少なくとも一部が、典型的には水で希釈される該処方物に浸漬される。スポットまたは局所処理が、一部の用途、例えば、洗濯物およびカーペット洗浄において使用される。該処方物の洗浄特性は、湿らすこと、溶解、分散、および／または乳化の組み合わせから生じると考えられる。
【００２３】
一部の好ましい実施形態において、該物品はまた、当該技術分野において公知な方法、例えば、ブラシ、ほうき、洗浄パッド、研磨剤、これらの組み合わせなどを使用して該洗浄処方物と接触している間に、機械的に洗浄される。その具体的な方法は、当該技術分野において公知な要因、例えば、洗浄される物品の特性、除去される土壌または汚染物質の量などに依存する。当業者であれば、機械的洗浄が、汚染物質で負荷された表面、または表面近くで該洗浄処方物を新しい洗浄処方物で置き換えるだけでなく、表面上の汚染物質を物理的に除去するために役立つことを理解するであろう。一部の実施形態において、該機械的作用はまた、該洗浄処方物において該汚染物質を分散させることを補助する。該機械的洗浄は、手動および／または自動である。一部の実施形態において、機械的洗浄装置はまた、洗浄される該物品に該洗浄処方物を適用するために構成される。他の実施形態において、超音波エネルギーが、該洗浄を補助するために使用される。
【００２４】
該処方物の実施形態は、凝固点から沸点までの温度条件の範囲下で使用できる。該処方物の好ましい実施形態は、光活性ではない。
【００２５】
該物品または表面が洗浄されると、典型的には、残留汚染物質および／または洗浄処方物を除去するためにすすぎ洗いされる。場合によって、該物品は、当該技術分野において公知な手段、例えば、空気などの気体を吹き付けること、真空にすること、熱すること、凍結乾燥すること、吸着剤と接触させること、スクイージーで拭き取ること、これらの組合せなどによって乾燥される。
【００２６】
希釈されない該処方物はまた、潤滑剤として有用である。無毒性であるので、医療装置、外科装置、食品処理機械、および、無毒性物質が好ましい他の装置もしくは機械の潤滑に特に適している。
【実施例】
【００２７】
実施例１
該処方物の好ましい実施形態は、下記の表ＩＩにおいて与えられ、本明細書において「Ｌｉｋｅ  Ｎｅｗ（新しいような）」と呼ばれる。該成分は１０００ガロン（３，７８５Ｌ）槽において混合される。
【００２８】
【表２】
2008543979.tif 000003
【００２９】
Ｃｅｌｑｕａｔ（登録商標）Ｈ−１００は、櫛様構造でグラフトされたポリクオタニウム−４側鎖を有するセルロース骨格（ヒドロキシエチルセルロース）を有する。Ｔｒｉｔｏｎ（登録商標）Ｘ−４５は、エトキシレート単位が約４．５のエトキシレート単位の平均を含むオクチルフェノールエトキシレートである。Ｔｒｉｔｏｎ（登録商標）Ｘ−１１４は、エトキシレート単位が約７．５のエトキシレート単位の平均を含むオクチルフェノールエトキシレートである。Ｐｅｔｒｏ（登録商標）２２は、ナトリウムアルキルナフタレンスルホネートおよび非イオン性界面活性剤の独自仕様の混合物である。
【００３０】
「Ｌｉｋｅ  Ｎｅｗ」処方物は、アルカリ性、無毒性、７日以内の生分解性であり、コロイド特性を有する。該処方物は、７つの別個の化学品で構成され、これらの一部は１２．５以上のｐＨを有する。表ＩＩの該処方物は、希釈前に約１０．５のｐＨを有する。
実施例２
実施例１の該処方物「Ｌｉｋｅ  Ｎｅｗ」を、洗浄混合物で満たした回転スクラバー機に搭載された、水および流体容器を使用して、５：１に希釈した。該機は、１．５馬力のモータを有し、１７インチ（４３ｃｍ）高研摩性ポリカーボネートブラシ（パッド）を備えていた。コンクリート表面には、油とタイヤの汚れがあった。該洗浄処方物を該コンクリート表面に適用し、該表面に汚れが実質的に無くなるまで該表面をごしごし洗いした。該表面を清浄な水ですすぎ洗いし、次いで、過剰の水を除去するためにスクイージーで拭き取った。該表面を湿式／乾式真空で、真空処理し、次いで、乾燥させた。真空処理は、該コンクリートの孔から残留処方物を除去し、その結果封止剤、塗料などの付着を防止することができると考えられる。次いで、液体ポリマー封止剤を該洗浄された表面上に吹き付けた。
実施例３
実施例１をスクイージーでごしごし洗いするステップまで繰り返し、堅い泡を形成した。該泡を、水を吹き付けることによって破壊した。該ポリカーボネートブラシをより軟らかいナイロンブラシに換え、該コンクリート表面を再度ごしごし洗いした。該表面をすすぎ洗いし、スクイージーで拭き取り、真空処理し、上記のように封止した。添加された水は該コンクリートの孔の中への該処方物の浸透を改善し、ブラッシングが該孔を洗い流し、それにより改善された洗浄を提供すると考えられる。一部の場合には、封止された該表面を、コンクリート層で重ねて吹き付けした。
実施例４
実施例１の該処方物（「Ｌｉｋｅ  Ｎｅｗ」）の物理的分析は、以下の結果であった。
【００３１】
【表３】
2008543979.tif 000004
【００３２】
実施例５
硬水安定性
硬水原液の調製：２０グレーン硬水原液を、酢酸カルシウム二水和物（Ｃａ（Ｃ２Ｈ３Ｏ２）２・２Ｈ２Ｏ，分析に基づく）０．４０±０．００５ｇ、および分析試薬硫酸マグネシウム七水和物（ＭｇＳＯ４・７Ｈ２Ｏ，分析に基づく）０．２８±０．００５ｇを沸騰させた蒸留水１Ｌに溶解して調製した。
【００３３】
手順：３個の清浄な５０ｍｌメスシリンダーに「Ｌｉｋｅ  Ｎｅｗ」の２５％（Ｖ／Ｖ）水溶液５ｍＬを加えた。各メスシリンダーに硬水原液４５ｍＬを加えた。得られた各溶液をよく混合し、２５±５℃（７７±０°Ｆ）で２４時間放置し、その後各々を沈殿について調べた。メスシリンダーを５回反転することによって各溶液を攪拌し、それらの濁度を、シリカ試験を使用するＯｒｂｅｃｏ−Ｈｅｌｌｉｇｅ濁度計を使用して測定した。試験結果を平均した。
【００３４】
【表４】
2008543979.tif 000005
【００３５】
実施例６
低温安定性
「Ｌｉｋｅ  Ｎｅｗ」の約５０ｍＬを試験管に注ぎ、−１８±５℃（０±９°Ｆ）に約１時間で冷却した。次いで、該化合物を室温に戻させた。試験管を５回反転後、該処方物を均一性について調べた。
【００３６】
【表５】
2008543979.tif 000006
【００３７】
実施例７
リン酸塩に対する分析
標準リン酸塩試験を以下のように行った。実施例１の処方の１０．０００ｇの試料を陶器またはシリカ蒸発皿に量りとった。該試料を、可燃性物質の大部分が燃え尽きるまで低温ガス炎の上で穏やかに燃焼させ、次いで、マッフルファーネスに５５０℃以下で１０から１５分間で移した。得られた残留物は必ずしも炭素がなくなっていなかった。該残留物を冷却し、次いで、濃ＨＣｌ  １０ｍＬを加え、該混合物を４００ｍＬビーカーに移した。溶液の容量を水を使用して約１００ｍＬにした。該溶液は、少なくとも１０ｍＬの濃ＨＣｌの過剰を含む。該ビーカーを時計皿で蓋をし、ガラス状タイプのリン酸塩の存在下で３０から６０分間沸騰させた。該溶液を室温に冷却し、水で２００ｍＬに希釈し、最初５０％ＮａＯＨ、次いで０．５および／または０．０１ＮのＮａＯＨを使用して、ｐＨ４．３に調整した。一部の場合に、得られる溶液を冷却し、温度を３０℃より低く維持した。該溶液を、ＮａＯＨ溶液を用いてｐＨ８．８の終点まで滴定した。Ｐ２Ｏ５としてのリンの総パーセントは、（Ｔ×Ｎ×７．０９８）／（試料の重量）であり、ここでＮは該滴定において使用されるＮａＯＨの規定度であり、Ｔは該滴定において使用されるＮａＯＨ溶液の容量である。
実施例８
熱安定性
実施例１の処方物（「Ｌｉｋｅ  Ｎｅｗ」）の５０ｍＬ試料を５０ｍＬメスシリンダーに入れ、次いで、栓をした。該メスシリンダーを６０±２℃（１４０±３°Ｆ）の水浴中に６時間置いた。該処方物の少なくとも３０ｍＬを表面下に沈めた。
【００３８】
【表６】
2008543979.tif 000007
【００３９】
実施例８
乳化性
実施例１の処方物の２５％（Ｖ／Ｖ）水性混合物の１０ｍＬ試料を、ガラス栓をされる５０ｍＬメスシリンダーに入れた。洗浄溶媒（Ｍｉｌ−Ｐ−Ｄ−６８０タイプ２）の３０ｍＬ試料を加えた。メスシリンダーの１０回の反転、次いで激しい１５秒の振とうによって乳濁液を形成した。乳濁液を５分間放置させ、該試料を再び１５秒攪拌した。得られた乳濁液を６時間放置させた。６時間の期間の最終時点で油と水との層化について調べた。
【００４０】
【表７】
2008543979.tif 000008
【００４１】
実施例９
燃焼性
実施例１の処方物の試料（「Ｌｉｋｅ  Ｎｅｗ」）を蓋のないカップ中に置き、沸騰させた。火炎を沸騰している液体に接触させた。
【００４２】
【表８】
2008543979.tif 000009
【００４３】
実施例１０
生分解性
実施例１の処方物（「Ｌｉｋｅ  Ｎｅｗ」）の生分解性を対照としてドデシル硫酸ナトリウム（ＳＤＳ）の標準溶液を使用する標準試験方法（Ｊｏｕｒｎａｌ  ｏｆ  ｔｈｅ  Ｗａｔｅｒ  Ｐｏｌｌｕｔｉｏｎ  Ｃｏｎｔｒｏｌ  Ｆｅｄｅｒａｔｉｏｎ）を使用して評価した。両試料の濃度は、酵母抽出物を含むＢ．Ｏ．Ｄ希釈水において２０ｐｐｍであり、下水を用いてインキュベートした。フラスコを１週３期間継代培養して、該生物が該化合物に順応することを確実にした。
【００４４】
ＳＤＳの分解を通常のメチレンブルー試験によって求めた。「Ｌｉｋｅ  Ｎｅｗ」の分解をＪｏｕｒｎａｌ  ｏｆ  Ｗａｔｅｒ  Ｐｏｌｌｕｔｉｏｎ  ａｎｄ  Ｃｏｎｔｒｏｌに記載されているように求めた。
【００４５】
【表９】
2008543979.tif 000010
【００４６】
実施例１１
表面張力
「Ｌｉｋｅ  Ｎｅｗ」の表面張力を２５℃で２９．５ダイン／ｃｍで測定した。「Ｌｉｋｅ  Ｎｅｗ」／水道水の比１／１６２５は、２５℃で３６ダイン／ｃｍであり、「Ｌｉｋｅ  Ｎｅｗ」の連続的に希釈された溶液の表面張力をプロットすることによって求めた。
実施例１２
淡水または海水性能
淡水および海水性能を標準米国連盟試験方法（ｓｔａｎｄａｒｄ  Ｕ．Ｓ．Ｆｅｄｅｒａｌ  ｔｅｓｔ）を使用して評価した。
【００４７】
手順１  実施例１の処方物（「Ｌｉｋｅ  Ｎｅｗ」）の１０ｍＬ試料を２００ｍＬ丸底フラスコ中で１０ｍＬの未処理原油（比重２３±０．５）と混合し、該混合物を１０秒間激しく振とうした。海水の１５０ｍＬ試料を第一の２００ｍＬメスシリンダーに入れ、淡水水道水の１５０ｍＬ試料を第二の２００ｍＬメスシリンダーに入れ、各メスシリンダーに「Ｌｉｋｅ  Ｎｅｗ」および原油の混合物５ｍＬを加え、次いで栓をした。各メスシリンダーの内容物を５回反転することによって混合し、該メスシリンダーを室温で１時間放置させた。メスシリンダーの表面を遊離の原油について目視で調べた。原油の任意に利用できる浮遊粒子を、ガラス攪拌棒を使用して１×２ガラススライド上に一様に薄く塗布し、次いで淡水水道水または海水で１分間すすぎ洗いした。油の全ての痕跡は水中に消散させるべきである。該処方物は試験に合格した。
【００４８】
手順２  アルミニウム合金（２０２４，Ｆｅｄ．Ｓｐｅｃ．ＱＱ−Ａ−２５０／４）およびマグネシウム合金（ＡＺ３１８またはより高い，Ｆｅｄ，Ｓｐｅｃ．ＱＱ−Ｍ−４４）の４インチ×６インチの１枚のシート各々をトリクロロエチレン（ｔｅｃｈｎｉｃａｌ，Ｆｅｄ．Ｓｐｅｃ．Ｏ−Ｔ−６３４）で完全に洗浄し、重さを量った。各シートの片面に４０ウエート機械油およびカーボンブラックの混合物で均一に被覆し、改善された視感度を得、各シート上の油量を測定するために重さを量った。各シートを、油面を上にして水平表面上に置き、完全に濡れるまで１部の「Ｌｉｋｅ  Ｎｅｗ」を７部の水道水で希釈した混合物で吹き付けた。５分の滞留時間後、各シートを淡水水道水の穏やかに攪拌されたすすぎ洗い槽に５分間浸し、次いで１５０°Ｆで１０分間オーブン乾燥した。各シートを除去された油の量を求めるために再度重さを量り、パーセントとして表した。油の実質的に全てが除去された。
実施例１３
毒性
環境的毒性は見られなかった。
【００４９】
経口毒性  ２６８ｇ（範囲２５６〜２８０ｇ）の平均体重を有する１８匹のオスのＬｏｎｇ−Ｅｖａｎｓラットを各６匹の３つの比較群に分けた。群１に１００ｇ体重当たり１ｍＬの「Ｌｉｋｅ  Ｎｅｗ」の単回投与を胃管によって投与した。群２に１００ｇ体重当たり０．５ｍＬの「Ｌｉｅｋ  Ｎｅｗ」の単回投与を胃管によって投与した。対照群としての役目をする群３に１００ｇ体重当たり１ｍＬで、生理学的食塩水１ｍＬの単回投与を胃管によって投与した。ラットを高くしたスクリーン底を備えた個別のケージに入れ、餌（Ｐｕｒｉｎａ  Ｌａｂｏｒａｔｏｒｙ  Ｃｈｏｗ）および水を適宜与えた。動物を観察下に１４日間飼い、その後重さを量り、検視解剖をした。１４日の給餌後、さまざまな群のラットの平均体重の増加は以下の通りであった。
【００５０】
【表１０】
2008543979.tif 000011
【００５１】
さまざまな群間の体重増加の相違は統計学的に有意でなかった。「Ｌｉｋｅ  Ｎｅｗ」を投与されたラットのいずれにも有害または有毒な影響は全く見られなかった。試験および対照動物間で臓器の外観において著しい相違はなかった。
【００５２】
皮膚毒性  平均体重２２９１ｇ（範囲２１３４〜２４１６ｇ）の１２匹のオスのＮｅｗ  Ｚｅａｌａｎｄ  Ｗｈｉｔｅウサギを選択し、各６匹の２つの比較群に分けた。大きさ約２インチ×３インチの区域について各動物の中央背面の横方向領域上で毛を剃った。群の１つにおいて、毛を剃った区域の皮膚をそのままとし、他の群において鋭利器具で一連の浅く切り取ることによって薄く削った。ウサギを個々の金属ケージに入れ、実験過程にわたって餌および水を適宜与えた。次いで、「Ｌｉｋｅ  Ｎｅｗ」を計４日間毎日両群の毛を剃った区域に綿棒で塗った。該動物を塗布後最初の１時間の間は１０分間隔で、その後は毎日２回観察した。該動物を最初の塗布後１週間観察下に置いた。ウサギのいずれにも有害な影響は見られなかった。実験過程にわたって全て体重が増加し（平均１７７ｇ）、全ての点で正常に見えた。
実施例１４
アクリルベースプラスチックスの応力ひび割れ
シートアクリルプラスチック（ＭＩＬ−Ｐ−５４２５）の３個の試験品をオーブン中に９０±２℃（１９４±４°Ｆ）で２時間吊るすことによってアニーリングした。アニーリング期間の終了時点で試験品の温度を最大１時間当たり２７±５℃（４９±９°Ｆ）で室温に下げた。次いで、アニーリングした試験品を使用前に室温で７日間調整した。各３個の試験品を片持ち梁としてセットし、注意深く平方インチ当たり３，０００ポンドの外繊維応力まで応力を加えた。１０分後、試験品を調べ、全くひび割れが起きていなかったことを確認した。試験品がまだ応力下にある間、約３／４インチ平方の綿の吸収性小片を該試験品の張力側で、直接支点の上方に置いた。「Ｌｉｋｅ  Ｎｅｗ」を注意深く綿小片に加え、該小片を必要に応じて追加的に加えることによって湿ったままを保った。２４時間後、該試験品が依然として応力下にある間に、該綿小片を除去し、該試験品を水道水ですすぎ洗いして、ひび割れ、亀裂、または他の影響について再試験した。
【００５３】
【表１１】
2008543979.tif 000012
【００５４】
実施例１５
大腸菌に関する課題研究
水中、実施例１の処方物（「Ｌｉｋｅ  Ｎｅｗ」）の５：１希釈物（Ｖ／Ｖ）を三つ組で試験し、Ｄａｙ０、Ｄａｙ１、およびＤａｙ３で評価した。該生成物と同時に、３個の品質対照試料（ブランク生成物、正の対照、負の対照）が試験された。課題生物（Ｅ．ｃｏｌｉ  ＡＴＣＣ２５９２２）を培養し、約１．０×１０６の最終濃度で該３個の生成物試料（三つ組）および正の対照に移した。課題生物をブランク生成物または負の対照に添加しなかった。代表部分を無菌的に各試験容器から移し、ＡＯＡＣ９９１１４による計数のために二重にペトリフィルム上でインキュベートした。これらの最初の試料をＤａｙ０とし、インキュベーション前の濃度を表す。調査を周囲温度で行い、追加部分は、２４時間（Ｄａｙ１）および７２時間（Ｄａｙ３）後に無菌的に移した。該試験生物、すなわち大腸菌は、コロニーを数え、データを評価する前にペトリフィルム上で４８時間増殖させた。
【００５５】
データは、課題生物、すなわち大腸菌（Ｅ．ｃｏｌｉ）の増殖が、該「Ｌｉｋｅ  Ｎｅｗ」５：１の溶液の存在下で起こらないことを示した。正の対照は、遅いが顕著な増加を示したが、一方、Ｄａｙ０、Ｄａｙ１、およびＤａｙ３に試験された生成物の三つ組試料は、増殖を示さなかった。正の対照における大腸菌の増殖ならびにブランクおよび負の対照における増殖の不在は、試験の妥当性を立証した。追加的観察によれば、大腸菌課題生物は、「Ｌｉｋｅ  Ｎｅｗ」５：１溶液に１時間暴露後生存できないことが示される。
【００５６】
他の市販されている洗浄製品、例えば、ＣＬＲ（登録商標）（Ｊｅｌｍａｒ，Ｓｋｏｋｉｅ，ＩＬ）、Ｓｉｍｐｌｅ  Ｇｒｅｅｎ（登録商標）（Ｓｕｎｓｈｉｎｅ  Ｍａｋｅｒｓ，Ｉｎｃ．，Ｈｕｎｔｉｎｇｔｏｎ  Ｈａｒｂｏｕｒ，ＣＡ）、およびＯｘｉＣｌｅａｎ（登録商標）（Ｏｒａｎｇｅ  Ｇｌｏ  Ｉｎｔｅｒｎａｔｉｏｎａｌ，Ｌｉｔｔｌｅｔｏｎ，ＣＯ）は、役割の一部を達成するが、開示された処方物の好ましい実施形態の多数の使用に及ばない。例えば、好ましい実施形態は、大部分の水洗い可能な表面を洗浄および／または脱脂するのに有用である。例としては、コンクリート、アスファルト、タール基礎材料、天然石、大理石、花崗岩、テラゾ、家禽、卵、鉄道レールおよび枕木、下水管、皮革、オーブン、ストーブ、タイル、グラウト、カーペット、ファブリック、ファブリック汚れ、洗濯物、土壌、内外航空機部品、塗装表面（ラテックス塗料を軟化し得る）、動物の囲い、プラスチック、Ｐｌｅｘｉｇｌａｓ（登録商標）、ガラス繊維、金属などの組合せが挙げられる。一部の好ましい実施形態はまた、乗物、車、ボート、および床からのワックスの洗浄およびストリッピングに有用である。一部の実施形態は、原油および／または石油精製品用の貯蔵タンクを洗浄するために有用である。一部の実施形態は、床材および／またはタイル、例えばリノリウム、ビニル床材などを張るために使用される種類のマスチック樹脂を乳化するか、または剥がす。一部の実施形態は、錆および／または腐食金属表面を洗浄する。
【００５７】
上記で検討されたように、一部の好ましい実施形態において、該処方物は、使用前に、例えば水で希釈される。本明細書で使用されるように、「処方物」という用語はまた、希釈された実施形態も指す。該希釈物は、単に指針として与えられる。当業者であれば、一部の用途では、多かれ少なかれ濃縮された溶液が使用され、このような溶液もまた本開示の範囲内であることを理解するであろう。
【００５８】
一部の洗浄用途では、該処方物は、当該技術分野において公知な他の洗浄製品と組み合わせて使用される。例えば、該処方物の実施形態は、塩素および／または酸素漂白剤と一緒に洗濯洗浄剤として有用である。当該技術分野で公知な他の添加剤もまた、洗濯用途、例えば、硬水軟化剤、石鹸、洗浄剤、脱臭剤などにおいて有用である。他の実施形態において、該処方物の実施形態は、洗濯洗浄剤として単独で使用され、汚れ、土壌、ボディオイル（ｂｏｄｙ  ｏｉｌ）、臭気などの除去に有効である。
【００５９】
一部の実施形態は、空気中に浮遊する、および表面に存在する両方の細菌を殺傷する。一部の実施形態は、成人の座瘡を含む座瘡を処置するようにみえる。油の除去と組み合わされた抗菌効果は、この活性に少なくとも一部関与していると考えられる。一部の実施形態では、カビおよび／または白カビ、それらの胞子を殺傷し、および／または胞子の発芽を防止する。「Ｌｉｋｅ  Ｎｅｗ」を使用する処置は、接触１０秒以内で生存するカビ胞子の約５０％まで、３０分以内で９９％、６０日後にカビ再生がない状態に殺傷することが見出された。これらの用途の一部の実施形態は、約５から１０：１の希釈物を使用する。一部の実施形態において、影響を受けた区域は、例えば、空気ダクトにおいて、および壁におけるスタッド空洞に関して希釈された該処方物を用いて霧化される。他の実施形態において、影響を受けた表面は、希釈された該処方物を用いて吹き付けられる、および／または飽和される。
【００６０】
さらに、開示された処方物の実施形態は、例えば、皮膚および毛穴から過剰の油を、例えば、約５から１５：１の希釈物で除去するために該皮膚を安全に洗浄する。例えば、ラノリンおよび／またはココナッツ油の任意の皮膚軟化剤を含む実施形態は、これらの添加剤の保湿作用のために皮膚の洗浄に特に有用である。一部の実施形態は、例えば、約１０から１５：１に希釈されて、耳垢を分解する。実施形態はまた、例えば、約８から９：１の希釈物で皮膚を洗うことによって、あるいは、約１０から１２：１の希釈物で髪を洗うことによって、疥癬、しらみ、のみ、ダニなど処理するのに有用である。この処理は、ヒト、および例えば、犬および猫などの他の動物において有用である。該処方物の実施形態はまた、動物、植物、および／または表面上の家庭、商業、および／または農業用途において虫、他の節足動物などに対する殺虫剤の効果もある。一部の実施形態において、処理された物品または表面は、軟らかい物質、例えば、ファブリック、マットレス、室内装飾品などである。例としては、蟻、セイヨウシミ、アブラムシ、ナンキン虫、しらみ、疥癬、ダニ、のみなどがある。
【００６１】
一部の実施形態はまた、家畜類、ペット、海洋生物、水性生物などに安全である。従って、一部の用途において保護衣は不要である。一部の実施形態は、土壌改善、および／または、例えば、湖、池、および／または川の淡水の集まった所の汚染除去において有用である。このような実施形態において、水路への該洗浄処方物の流出液もまた、安全である。同様に、これらの実施形態の廃棄は、安全問題を実質的に起こさない。
【００６２】
一部の実施形態は、例えば、約５から１２：１に希釈されて、臭い、例えば、ペット、タバコ、およびヒトの排出臭を中和する。約５：１の希釈物が、スカンク臭の除去に有効である。
【００６３】
一部の実施形態は、空気流清浄（空気清浄）のために有用である。一部の実施形態において、該処方物は、水で約１０から２０：１に希釈され、該溶液が空気流中へ霧化される。一部の実施形態において、該霧は、フィルターまたは他のトラップを使用して下流で除去される。該霧化方法はまた、空気ダクト、換気ダクト、ＨＶＡＣシステムなどを洗浄するために有用である。一部の実施形態は、酸および／または酸性ガスを効果的に中和する。一部の実施形態では、効果的に、火を鎮圧し、再発火を防止する。
【００６４】
好ましい実施形態は、本出願の出願日まで、Ｐｒｏｐｉｓｉｔｉｏｎ６５のもとでカリフォルニア州におけるか、または１９８６年のカリフォルニア州安全飲料および水条例のもとで、有害としてリストされた成分を含まない。
【００６５】
表ＩＩＩは、さまざまな用途のための水における実施例１（「Ｌｉｋｅ  Ｎｅｗ」）の処方物の典型的な希釈を示す。
【００６６】
【表１２】
2008543979.tif 000013
【００６７】
表ＩＩＩ
特定の実施形態について述べてきたが、これらの実施形態は、実施例のみによって提示され、本開示の範囲を限定することを意図するものではない。当業者であれば、本明細書において記載される処方物、方法、およびシステムが、さまざまな他の形態において具体化され得ることを理解するであろう。さらに、本明細書において記載される処方物、方法、およびシステムの形態におけるさまざまな省略、置換および変更が、本開示の精神から逸脱することなくなされ得る。添付の請求項およびこれらの同等物は、このような形態または修正に及ぶことが意図される。
【国際調査報告】
2008543979.tif 000014
2008543979.tif 000015